(57)【要約】【課題】一定期間毎のランキングアイテムのランキングの変化を容易にユーザが把握できるようにする。【解決手段】本発明は、ランキングアイテムをユーザの表示手段に表示する際に、ランキングアイテムの集合のうち、隣接する前、後の期間のランキングにも登場するランキングアイテムを同じ位置に表示する。【選択図】      図１
2004334588.tif 000002
【特許請求の範囲】
【請求項１】
ランキングの対象項目であるランキングアイテムを収集し、最新のランキングアイテムをユーザの表示手段に表示するランキングアイテム表示方法において、
ある期間の前記ランキングアイテムのランキングを表示する際に、
取得したランキングアイテムの集合を記憶手段に一旦格納しておき、
前記ランキングアイテムの集合を前記記憶手段から読み出して、隣接する前、或いは後の期間のランキングにも登場するランキングアイテムを表示手段の同じ表示位置に表示することを特徴とするランキングアイテム表示方法。
【請求項２】
前記記憶手段から読み出した期間が連続したランキングアイテムを古い順に表示し、
表示している任意のランキングアイテムで停止し、停止したランキングアイテムから再度新しいランキングアイテムを順に表示する請求項１記載のランキングアイテム表示方法。
【請求項３】
前記ランキングアイテムの順位に基づいて、該ランキングアイテムの文字の大きさ、色、フォントを含む文字属性及びマーク付加により識別表示を行う請求項１または２記載のランキングアイテム表示方法。
【請求項４】
１つ前のランキングに存在せず、新たにランクインしたランキングアイテムに対して、該ランキングアイテムの文字の大きさ、色、フォントを含む文字属性及びマーク付加により識別表示を行う請求項１乃至３記載のランキングアイテム表示方法。
【請求項５】
ランキングの対象項目であるランキングアイテムを収集し、最新のランキングアイテムをユーザの表示手段に表示するランキングアイテム表示装置であって、
ある期間の前記ランキングアイテムのランキングを表示する表示制御手段と、
取得したランキングアイテムの集合を一旦記憶するランキング集合記憶手段と、を有し、
前記表示制御手段は、
前記ランキングアイテムの集合を前記記憶手段から読み出して、隣接する前、
或いは後の期間のランキングにも登場するランキングアイテムを表示手段の同じ表示位置に表示する手段を有することを特徴とするランキングアイテム表示装置。
【請求項６】
前記表示制御手段は、
前記記憶手段から読み出した期間が連続したランキングアイテムを古い順に表示する手段と、
表示している任意のランキングアイテムで停止し、停止したランキングアイテムから再度新しいランキングアイテムを順に表示する手段と、を含む請求項５記載のランキングアイテム表示装置。
【請求項７】
前記表示制御手段は、
前記ランキングアイテムの順位に基づいて、該ランキングアイテムの文字の大きさ、色、フォントを含む文字属性及びマーク付加により識別表示を行う手段を含む請求項５または６記載のランキングアイテム表示装置。
【請求項８】
前記表示制御手段は、
１つ前のランキングに存在せず、新たにランクインしたランキングアイテムに対して、該ランキングアイテムの文字の大きさ、色、フォントを含む文字属性及びマーク付加により識別表示を行う手段を含む請求項５乃至７記載のランキングアイテム表示装置。
【請求項９】
ランキングの対象項目であるランキングアイテムを収集し、最新のランキングアイテムをユーザの表示手段に表示するランキングアイテム表示プログラムであって、
ある期間の前記ランキングアイテムのランキングを表示する際に、
取得したランキングアイテムの集合を記憶手段に一旦格納するランキングアイテム取得ステップと、
前記ランキングアイテムの集合を前記記憶手段から読み出して、隣接する前、或いは後の期間のランキングにも登場するランキングアイテムを表示手段の同じ表示位置に表示する表示制御ステップと、からなり、コンピュータに実行させることを特徴とするランキングアイテム表示プログラム。
【請求項１０】
前記表示制御ステップは、
前記記憶手段から読み出した期間が連続したランキングアイテムを古い順に表示するステップと、
表示している任意のランキングアイテムで停止し、停止したランキングアイテムから再度新しいランキングアイテムを順に表示するステップと、を含む請求項９記載のランキングアイテム表示プログラム。
【請求項１１】
前記表示制御ステップは、
前記ランキングアイテムの順位に基づいて、該ランキングアイテムの文字の大きさ、色、フォントを含む文字属性及びマーク付加により識別表示を行うステップを含む請求項９または１０記載のランキングアイテム表示プログラム。
【請求項１２】
前記表示制御ステップは、
１つ前のランキングに存在せず、新たにランクインしたランキングアイテムに対して、該ランキングアイテムの文字の大きさ、色、フォントを含む文字属性及びマーク付加により識別表示を行うステップを含む請求項９乃至１１記載のランキングアイテム表示プログラム。
【発明の詳細な説明】
【０００１】
【発明の属する技術分野】
本発明は、ランキングアイテム表示方法及び装置及びランキングアイテム表示プログラムに係り、特に、インターネット上の検索サイトにおいて、検索エンジンを利用したユーザが入力した検索キーワードを収集し、よく検索されるランキングアイテム（例えば、キーワード）をユーザに提供するためのランキングアイテム表示方法及び装置及びランキングアイテム表示プログラムに関する。
【０００２】
【従来の技術】
従来、よく検索されるキーワードをユーザに提供する方法としては、定期的に入力されたキーワードの入力回数を集計し、回数の多い順にランキングを付けて、１番から順にリスト形式で提供する方法がある（例えば、非特許文献１参照）。
【０００３】
キーワードが以前のランキングに比べてどう変化したかを提供する方法としては、キーワードに右上がりあるいは上向きの矢印を付与し、入力回数が増加したことを示したり、キーワードに右下がりあるいは、下向きの矢印を付与し入力回数が減少したことを示している。
【０００４】
【非特許文献１】
ｈｔｔｐ：／／ｗｗｗ．ｌｙｃｏｓ．ｃｏ．ｊｐ／５０／
【０００５】
【発明が解決しようとする課題】
しかしながら、上記従来の矢印により入力回数の増加・減少を示す方法では、１つ前のランキングとの変化しかわからず、ユーザが注目したキーワードがどのくらい前からよく検索されるようになった（ランクインした）のか、また、ランク外になったキーワードは何かなどという情報を得ることができない。
【０００６】
以前からの推移をより細かく知りたい場合には、ユーザが前回のランキングを表示し、最新のランキングを見比べるという作業を行わなければならないという問題がある。さらに、前のランキングを見たい場合にはさらに前のランキングを表示しなければならないという問題がある。
【０００７】
また、ランク外になったキーワードは、最新のランキングキーワードから前回のランキングキーワードを除く作業が必要であり、容易に取得できないという問題がある。
【０００８】
本発明は、上記の点に鑑みなされたもので、一定期間ごとのランキングアイテム（キーワード）ランキングの変化をアニメーションのように表示し、ユーザが人気ランキングアイテム（キーワード）の移り変わりを容易に得ることのできるランキングアイテム表示方法及び装置及びランキング表示プログラムを提供することを目的とする。特に、ユーザが注目したランキングアイテムがどのくらい前からラインクインしているのかを把握することが可能なランキングアイテム表示方法及び装置及びランキングアイテム表示プログラムを提供することを目的とする。
【０００９】
【課題を解決するための手段】
図１は、本発明の原理を説明するための図である。
【００１０】
本発明は、ランキングの対象項目であるランキングアイテムを収集し、最新のランキングアイテムをユーザの表示手段に表示するランキングアイテム表示方法において、
ある期間のランキングアイテムのランキングを表示する際に、
取得したランキングアイテムの集合を記憶手段に一旦格納しておき（ステップ１）、
ランキングアイテムの集合を記憶手段から読み出して（ステップ２）、隣接する前、或いは後の期間のランキングにも登場するランキングアイテムを表示手段の同じ表示位置に表示する（ステップ３）。
【００１１】
また、本発明のランキングアイテム表示方法は、
記憶手段から読み出した期間が連続したランキングアイテムを古い順に表示し、
表示している任意のランキングアイテムで停止し、停止したランキングアイテムから再度新しいランキングアイテムを順に表示する。
【００１２】
また、本発明のランキングアイテム表示方法は、
ランキングアイテムの順位に基づいて、該ランキングアイテムの文字の大きさ、色、フォントを含む文字属性及びマーク付加により識別表示を行う。
【００１３】
また、本発明のランキングアイテム表示方法は、
１つ前のランキングに存在せず、新たにランクインしたランキングアイテムに対して、該ランキングアイテムの文字の大きさ、色、フォントを含む文字属性及びマーク付加により識別表示を行う。
【００１４】
図２は、本発明の原理構成図である。
【００１５】
本発明は、ランキングの対象項目であるランキングアイテムを収集し、最新のランキングアイテムをユーザの表示手段に表示するランキングアイテム表示装置であって、
ある期間のランキングアイテムのランキングを表示する表示制御手段１２１と、
取得したランキングアイテムの集合を一旦記憶するランキング集合記憶手段１２５と、を有し、
表示制御手段１２１は、
ランキングアイテムの集合を記憶手段１２５から読み出して、隣接する前、或いは後の期間のランキングにも登場するランキングアイテムを表示手段の同じ表示位置に表示する手段を有する。
【００１６】
また、本発明の表示制御手段１２１は、
記憶手段１２５から読み出した期間が連続したランキングアイテムを古い順に表示する手段と、
表示している任意のランキングアイテムで停止し、停止したランキングアイテムから再度新しいランキングアイテムを順に表示する手段と、を含む。
【００１７】
また、本発明の表示制御手段１２１は、
ランキングアイテムの順位に基づいて、該ランキングアイテムの文字の大きさ、色、フォントを含む文字属性及びマーク付加により識別表示を行う手段を含む。
【００１８】
また、本発明の表示制御手段１２１は、
１つ前のランキングに存在せず、新たにランクインしたランキングアイテムに対して、該ランキングアイテムの文字の大きさ、色、フォントを含む文字属性及びマーク付加により識別表示を行う手段を含む。
【００１９】
本発明は、ランキングの対象項目であるランキングアイテムを収集し、最新のランキングアイテムをユーザの表示手段に表示するランキングアイテム表示プログラムであって、
ある期間のランキングアイテムのランキングを表示する際に、
取得したランキングアイテムの集合を記憶手段に一旦格納するランキングアイテム取得ステップと、
ランキングアイテムの集合を記憶手段から読み出して、隣接する前、或いは後の期間のランキングにも登場するランキングアイテムを表示手段の同じ表示位置に表示する表示制御ステップと、からなり、コンピュータに実行させる。
【００２０】
また、本発明の表示制御ステップは、
記憶手段から読み出した期間が連続したランキングアイテムを古い順に表示するステップと、
表示している任意のランキングアイテムで停止し、停止したランキングアイテムから再度新しいランキングアイテムを順に表示するステップと、を含む。
【００２１】
また、本発明の表示制御ステップは、
ランキングアイテムの順位に基づいて、該ランキングアイテムの文字の大きさ、色、フォントを含む文字属性及びマーク付加により識別表示を行うステップを含む。
【００２２】
また、本発明の表示制御ステップは、
１つ前のランキングに存在せず、新たにランクインしたランキングアイテムに対して、該ランキングアイテムの文字の大きさ、色、フォントを含む文字属性及びマーク付加により識別表示を行うステップを含む。
【００２３】
上記のように、本発明では、数回分前のランキングアイテムから、順に新しいランキングアイテムを表示する際に、連続して存在するアイテムが同じ位置に表示されるため、ユーザが注目したアイテムがどのくらい前からランクインしているかが容易に把握することが可能となる。
【００２４】
また、ランキングアイテムの識別表示で、例えば、ランキングが高いほど文字の大きさが大きく表されるため、アイテムの人気の推移を視覚的に捉えることが可能となる。
【００２５】
また、ランク外になったランキングアイテムは、ランクイン識別表示のあるランキングに対して、１つ前のランキングを表示することで容易に取得できる。
【００２６】
【発明の実施の形態】
以下、図面と共に本発明の一実施の形態について説明する。
【００２７】
なお、以下の実施の形態では、ランキングアイテムとしてキーワードを例に説明する。
【００２８】
［第１の実施の形態］
図３は、本発明の第１の実施の形態におけるシステム構成を示す。同図に示すシステムは、インターネットなどのネットワーク４００にキーワード表示サーバ２００を設け、キーワードランキングを参照するためのユーザのクライアント端末１００、キーワード検索を実施する検索サイト３００から構成される。
【００２９】
本実施の形態では、クライアント端末１００でキーワードの配置、ランクイン指定を行う場合の構成について説明する。
【００３０】
クライアント端末１００は、Ｗｅｂブラウザ１１０、Ｗｅｂブラウザ１１０上で動作するキーワード表示制御部１２０から構成される。
【００３１】
キーワード表示制御部１２０は、さらに制御部１２１、配置処理部１２２、ランクイン指定部１２３、文字識別表示部１２４及びランキング集合格納部１２５から構成される。
【００３２】
キーワード表示サーバ２００は、通信制御部２１０、キーワード読み出し部２２０、キーワードランキング蓄積部２３０、キーワード集計部２４０、キーワードランキング部２５０から構成される。
【００３３】
本発明は、連続したキーワードランキングの情報がキーワードランキング蓄積部２３０に蓄積されていることが前提になっている。本実施の形態では、キーワード表示サーバ２００のキーワード収集部２４０が、検索サイト３００で入力された検索キーワードを収集し、キーワードランキング部２５０において、一定期間毎にキーワードランキングを作成する。作成したキーワードランキングを、キーワードの収集期間を識別できる形で、キーワードランキング蓄積部２３０に保存する。蓄積の形態は、収集期間毎にファイルとして蓄積しておくようにしてもよく、データーベース内に蓄積してもよい。キーワードランキング情報蓄積までの処理は、本発明の範囲外である。
【００３４】
次に、キーワード表示システムの動作の流れを説明する。
【００３５】
図４は、本発明の第１の実施の形態におけるキーワード表示システムにおけるキーワード表示のシーケンスチャートであり、図５は、本発明の第１の実施の形態におけるキーワード表示例を示す。
【００３６】
まず、クライアント端末１００において、キーワード表示システムが起動されると、何日分或いは、何週間分といったキーワードの表示期間に対応するキーワードがキーワード表示サーバ２００に送信される（ステップ１０１）。なお、これらの期間に対応するキーワードは、クライアント端末１００内の記憶手段（メモリ）に格納されているものとする。
【００３７】
キーワード表示期間を受信した（ステップ１０２）キーワード表示サーバ２００は、キーワード読み出し部２２０において、キーワードランキング蓄積部２３０から表示期間部分のキーワードランキング集合を読み出し（ステップ１０３）、クライアント端末１００にキーワードランキング集合を送信する（ステップ１０４）。ここで、キーワードランキング集合の例を図６に示す。ランキング収集期間は１日であり、各キーワードランキング５０１は、識別情報として日付を持ち、それに続いて、第１位キーワード、第２位キーワードと、第Ｎ位キーワードまでで構成される。１日毎のキーワードランキング５０１が表示期間分（図６の例では１週間）集まったものがキーワードランキング集合である。
【００３８】
次に、キーワードランキング集合を受信した（ステップ１０５）クライアント端末１００は、当該キーワードランキング集合をランキング集合格納部１２５に一旦格納し、キーワード配置処理（ステップ１０６）及びランクイン指定（ステップ１０７）を行い、最新のキーワードランキングを文字修飾して表示する（ステップ１０８）。図５において、１日毎のキーワードランキングの１週間分が表されており、３月４日のキーワードランキングが最新のキーワードランキングとして表示される。同図の例では、文字修飾の例として、検索回数の多いキーワードほど文字の大きさを大きく表示している。
【００３９】
次に、ユーザから推移表示指示が入力されると（ステップ１０９）、キーワード推移表示を開始し（ステップ１１０）、ユーザから特定期間表示指示が入力されると（ステップ１１１）、指定された期間のキーワードランキングを表示する（ステップ１１２）。図５において、推移表示指示ボタン５０４をクリックすることでキーワード推移表示が開始され、日付毎のボタンが特定期間表示指示ボタン５０５であり、特定の日付をクリックすると、その日のキーワードランキングを表示する。
【００４０】
図７は、本発明の第１の実施の形態におけるクライアント端末のキーワード表示制御部の処理のフローチャートであり、図４のキーワード配置処理（ステップ１０６）を詳細に説明するものである。
【００４１】
ランキング集合格納部１２５に格納されているキーワードランキング集合をＲｎ（ｉ＝１〜ｎ）とする。まず、キーワード表示制御部１２０の配置処理部１２２は、最新のキーワードランキングＲｎを配置する（ステップ２０１）。この配置は、一番初めにユーザに表示されるため、例えば、キーワードを円形に配置し、中心に最も検索回数の多いキーワードを配置したり、検索回数の多いキーワードを上から順に配置する。次に、キーワードランキングＲｎより１つ前の期間のキーワードランキングＲｎ−１を選択し（ステップ２０２）、Ｒｎ−１からキーワードを１つずつ取り出し（ステップ２０３）、キーワードランキングＲｎにキーワードが存在しているか調べる（ステップ２０４）。キーワードが存在している場合、キーワードランキングＲｎ内と同じ位置に配置する。キーワードが存在しなかった場合は、未配置のキーワードとして保留にしておく（ステップ２０７）。同様に、キーワードランキングＲｎ−１の他のキーワードについても、キーワードランキングＲｎに存在するか調べ、存在する場合は、同じ位置に配置する。キーワードラキングＲｎ−１の全てのキーワードをチェックし終えたら（ステップ２０６）、未配置のキーワードとして保留にしておいたキーワードを、空いている位置に配置する（ステップ２０８）。
【００４２】
続いて、キーワードランキングＲｎ−２のキーワードを、キーワードランキングＲｎ−１のキーワードと比較し配置を行う。この処理をすべてのキーワードラキングが配置し終わるまで（ステップ２０９）を続ける。
【００４３】
例えば、３月３日のキーワードラキングに存在する「画像」というキーワードを例にとる。「画像」は、３月４日のキーワードランキングに存在しており、３月４日に円の中心に配置されている。そこで、３月３日のキーワードランキングにおいても、円の中心に配置する。また、３月３日のキーワードランキングに存在する「掲示板」、「東京」は、３月４日のキーワードランキングには存在しない。そのため、３月３日のキーワードすべてをチェックし終えた後、空いている位置（円の下２箇所）に、それぞれのキーワードを配置する。
【００４４】
この際、配置する位置に順位をつけておき、検索回数の多いキーワードを順位の高い位置に配置するといった方法をとってもよい。
【００４５】
次に、図８を用いて、ランクイン指定部１２３において、ランクインキーワードを指定するための処理（ステップ１０７）を詳細に説明する。
【００４６】
ランクイン指定部１２３は、キーワードランキング集合の最も古いキーワードランキングＲ１を選択し（ステップ３０１）、１つ新しいキーワードランキングをＲ２と比較する（ステップ３０２）。キーワードランキングＲ２のキーワードからランキングキーワードＲ１のキーワードを全て除き（ステップ３０３）、残ったキーワードをランクインに指定する（ステップ３０４）。ランキング集合格納部１２５内の全てのキーワードランキング集合をチェックするまで（ステップ３０５）の処理を続ける。
【００４７】
例えば、３月４日の「ゲーム」、「京都」は、３月３日のキーワードランキングに存在しないため、ランクインに指定される。ランクインに指定されたキーワードは、文字識別表示部１２４において、マークを付与したり、目立つ色で表示したり、ブリンク表示したり、他のキーワードと違いが識別できる形態で表示される。
【００４８】
上記ランキング指定処理は、説明を簡単にするため、キーワード配置処理と別々に処理を分けて説明したが、キーワード配置処理においても連続する２つのキーワードランキング間のキーワードを比較しているので、ランクイン指定処理を追加することは容易である。
【００４９】
次に、図９を用いて、キーワード推移表示（ステップ１１０）を詳細に説明する。
【００５０】
当該処理は、ユーザが、キーワード推移表示の指定を行うと開始され、表示されているキーワードランキングが最新かどうか調べる（ステップ４０１）。最新の場合は、一番古いキーワードランキングを表示し（ステップ４０２）、一定期間ごとに次に新しいキーワードランキングを表示し（ステップ４０４）、最新のキーワードランキングで停止する（ステップ４０５）。順に表示している間に、ユーザから停止指示が出されると、その時点で表示していたキーワードランキングを表示したまま停止する（ステップ４０３）。再度、ユーザがキーワード推移指示を入力すると、停止したキーワードランキングからキーワード推移表示を開始し（ステップ４０１）、順に最新のキーワードランキングまで表示する。
【００５１】
上記のように、本実施の形態において、１週間前のキーワードランキングから、順に新しいキーワードランキングを表示する際に、連続して存在するキーワードが同じ位置に表示されるため、ユーザが注目したキーワードがどのくらい前からランクインしているか容易にわかる。また、検索回数に応じて文字の大きさを変化させているため、人気の変化を視覚的に把握することができる。さらに、ランクインキーワードが識別表示されているため、ランクインキーワードが容易にわかり、ランクインキーワードが表示されている位置に着目し、前日のキーワードランキングを表示することで、ランク外になったキーワードを容易に知ることができる。
【００５２】
図１０は、検索キーワードが、カテゴリ分類され、カテゴリ毎にランキングされている場合の表示例である。この例では、各カテゴリの中心にカテゴリ名「トラベル」、「ゲーム」、「ショップ」を表示し、その周りに各カテゴリに属するキーワードを配置している図１１にキーワードランキング集合の例を示す。同図は、図６のキーワードランキング集合にカテゴリ名を追加した例を示している。このカテゴリ名に基づき、各カテゴリ毎に配置処理（ステップ１０６）、ランクイン指定（ステップ１０７）を実施し、表示を行う。
【００５３】
キーワードがカテゴリ毎に分類されている場合、ユーザは、興味のあるカテゴリに着目し、人気のあるキーワードを容易に把握することができるという利点がある。
【００５４】
［第２の実施の形態］
次に、本発明の第２の実施の形態について説明する。
【００５５】
図１２は、本発明の第２の実施の形態におけるキーワード表示システムの構成を示す。同図において、図３と同一構成部分には、同一符号を付し、その説明を省略する。図１２に示すシステムは、配置処理部２２１、ランクイン指定部２２２及びランキング集合格納部２２３がキーワード表示サーバ２００のキーワード読み出し部２２０に構成されている点において、前述の第１の実施の形態と異なる。
【００５６】
次に、本実施の形態におけるキーワード表示システムの動作について説明する。
【００５７】
図１３は、本発明の第２の実施の形態におけるキーワード表示システムの動作のシーケンスチャートであり、同一動作については、同一ステップ番号を付し、その説明を省略する。図１４は、本発明の第２の実施の形態におけるキーワードランキング集合の例である。
【００５８】
以下では、前述の第１の実施の形態における動作と異なる動作のみを説明する。
【００５９】
キーワード配置処理（ステップ１０４´）、ランクイン指定（ステップ１０５´）がキーワード表示サーバ２００にて実施される。キーワードの配置及びランクインキーワードが決定後、各キーワードに配置番号７０２及びランキングフラグ７０３が付加されたキーワードランキング集合７０１をクライアント端末１００に送信する（ステップ１０６´）。キーワードランキング集合を受信した（ステップ１０７´）クライアント端末１００は、文字識別表示部１２４において、ランキングやランクインフラグに応じて文字の大きさや色、マーク付加等の文字修飾を行い、配置番号に応じて最新のキーワードランキングを表示する（ステップ１０８´）。このとき、キーワード表示サーバ２００から送信されたキーワード集合を一時記憶部等の記憶手段に格納するものとする。
【００６０】
なお、上記の第１の実施の形態及び第２の実施の形態では、ランキングアイテムとしてキーワードのランキングを表示する例を示しているが、この例に限定されることなく、汎用的なランキング表示に適用可能である。例えば、ＣＤの売り上げランキングやテレビ番組の視聴率ランキングにも適用可能である。
【００６１】
なお、上記の第１の実施の形態及び第２の実施の形態におけるクライアント端末１００及びキーワード表示サーバ２００の動作をそれぞれプログラムとして構築し、クライアント端末１００及びキーワード表示サーバ２００として利用されるコンピュータのＣＰＵ等の制御手段により実行する、または、ネットワークを介して流通させることも可能である。
【００６２】
また、構築されたプログラムをクライアント端末、キーワード表示サーバとして利用されるコンピュータに接続されたハードディスク装置や、フレキシブルディスク、ＣＤ−ＲＯＭ等の可搬記憶媒体に格納しておき、本発明を実施する際に、これらの記憶媒体から読み出して実行させることも可能である。
【００６３】
なお、本発明は、上記の実施の形態の例に限定されることなく、特許請求の範囲内において種々変更・応用が可能である。
【００６４】
【発明の効果】
上述のように、本発明によれば、一定期間毎のキーワード等のランキングアイテムのランキングをアニメーションのように表示することにより、ユーザが人気ワードの移り変わりを容易に得ることができるようになる。
【００６５】
また、検索キーワードをカテゴリ分けして、カテゴリ毎のキーワード等のランキングアイテムのランキングを１つの表示画面内に収めることで、ユーザが興味のあるキーワードを発見しやすくすることができる。
【図面の簡単な説明】
【図１】本発明の原理を説明するための図である。
【図２】本発明の原理構成図である。
【図３】本発明の第１の実施の形態におけるキーワード表示システムの構成図である。
【図４】本発明の第１の実施の形態におけるキーワード表示のシーケンスチャートである。
【図５】本発明の第１の実施の形態におけるキーワード推移表示の例である。
【図６】本発明の第１の実施の形態におけるキーワードランキング集合の例である。
【図７】本発明の第１の実施の形態におけるクライアント端末のキーワード表示制御部の処理のフローチャートである。
【図８】本発明の第１の実施の形態におけるランクイン指定部の処理フローチャートである。
【図９】本発明の第１の実施の形態におけるキーワード推移表示の処理フローチャートである。
【図１０】本発明の第１の実施の形態におけるカテゴリに分類されたキーワード推移表示の例である。
【図１１】本発明の第１の実施の形態におけるカテゴリ毎にキーワードを分類したキーワードランキング集合の例である。
【図１２】本発明の第２の実施の形態におけるキーワード表示システムの構成図である。
【図１３】本発明の第２の実施の形態におけるキーワード表示システムのシーケンスチャートである。
【図１４】本発明の第２の実施の形態におけるキーワードランキング集合の例である。
【符号の説明】
１００  クライアント端末
１１０  Ｗｅｂブラウザ
１２０  キーワード表示制御部
１２１  表示制御手段、制御部
１２２  配置処理部
１２３  ランクイン指定部
１２４  文字認識表示部
１２５  ランキング集合記憶手段、ランキング集合格納部
２００  キーワード表示サーバ
２１０  通信制御部
２２０  キーワード読み出し部
２２１  配置処理部
２２２  ランクイン指定部
２２３  ランキング集合格納部
２３０  キーワードランキング蓄積部
２４０  キーワード集計部
２５０  キーワードランキング部
３００  検索サイト
４００  ネットワーク
５０１  キーワードランキング
５０２  検索キーワード
５０３  ランクインキーワード
５０４  推移表示指示ボタン
６０１  トラベルのカテゴリのキーワードランキング
６０２  トラベルカテゴリの検索キーワード
６０３  トラベルカテゴリのランクインキーワード
６０４  ショップカテゴリのキーワードランキング
６０５  ショップカテゴリの検索キーワード
６０６  ショップカテゴリのランクインキーワード
６０７  トラベルカテゴリのキーワードランキング集合
６０８  カテゴリ数分のキーワードランキング集合
７０１  キーワードランキング
７０２  配置番号
７０３  ランクインフラグ
【図１】
2004334588.tif 000003
【図２】
2004334588.tif 000004
【図３】
2004334588.tif 000005
【図４】
2004334588.tif 000006
【図５】
2004334588.tif 000007
【図６】
2004334588.tif 000008
【図７】
2004334588.tif 000009
【図８】
2004334588.tif 000010
【図９】
2004334588.tif 000011
【図１０】
2004334588.tif 000012
【図１１】
2004334588.tif 000013
【図１２】
2004334588.tif 000014
【図１３】
2004334588.tif 000015
【図１４】
2004334588.tif 000016